(57)【要約】【課題】本発明は、フォトニック結晶ファイバのコア部周囲に六方格子状に配列される空孔が、より少数でも、光の損失を少なく、群速度分散特性をより広帯域でフラットとすることができ、また、空孔が少数で済むことでファイバの設計や製造を容易とすることを目的とする。【解決手段】本発明は、光伝送路となるコア部２１の周囲に、当該コア部２１に沿って延びる空孔２２，２３を、コア中心に対する２以上の仮想の同心円上に各頂点が重なる六方格子状に配置し、この内、同じ六方格子に配置された空孔２２（又は２３）を同じ半径ｒ１（又はｒ２）で等間隔Λ１（又はΛ２）に配置し、コア中心に最も近い最内側よりも外側に配置された空孔２３を最内側の空孔２２よりも半径ｒ２が大きい寸法としたフォトニック結晶ファイバである。【選択図】図２
2009198617.tif 000002
【特許請求の範囲】
【請求項１】
光伝送路となるコア部の周囲に、当該コア部に沿って延びる空孔が、該コア部の中心に対する２以上の仮想の同心円上に重なる六方格子状に配置され、同じ六方格子に配置された空孔は同じ半径で等間隔に配置されているフォトニック結晶ファイバにあって、
前記コア部の中心に最も近い最内側よりも外側に六方格子状に配置された空孔は、該最内側に六方格子状に配置された空孔よりも大きい半径を有することを特徴とするフォトニック結晶ファイバ。
【請求項２】
前記最内側よりも外側に六方格子状に配置された空孔は、該最内側に六方格子状に配置された空孔よりも長い間隔を有することを特徴とする請求項１に記載のフォトニック結晶ファイバ。
【請求項３】
前記最内側よりも外側に六方格子状に配置された空孔は、該最内側に六方格子状に配置された空孔と同じ間隔を有することを特徴とする請求項１に記載のフォトニック結晶ファイバ。
【請求項４】
前記最内側よりも外側に六方格子状に配置された空孔は、該最内側に六方格子状に配置された空孔よりも短い間隔を有することを特徴とする請求項１に記載のフォトニック結晶ファイバ。
【請求項５】
前記最内側よりも外側に六方格子状に配置された空孔の半径は、該最内側に六方格子状に配置された空孔の半径の２倍以上であることを特徴とする請求項１から４のいずれかに記載のフォトニック結晶ファイバ。
【請求項６】
前記最内側よりも外側に六方格子状に配置された空孔の数は、該最内側に六方格子状に配置された空孔の数と同じであることを特徴とする請求項１から５のいずれかに記載のフォトニック結晶ファイバ。
【請求項７】
前記最内側よりも外側に六方格子状に配置された空孔の中心を直線接続して描かれる六方格子と、最内側に六方格子状に配置された空孔の中心を直線接続して描かれる六方格子とで、前記コア部の中心と頂点との接続線が３０度ずれていることを特徴とする請求項１から６のいずれかに記載のフォトニック結晶ファイバ。
【発明の詳細な説明】
【技術分野】
【０００１】
本発明は、光伝送路となるコア部の周囲に、そのコア部に沿って延びる空孔を六方格子状に配列した構造を成しており、零分散波長がガラスの零分散波長よりも短いフォトニック結晶ファイバに関する。
【背景技術】
【０００２】
フォトニック結晶ファイバ（ＰＣＦ：Ｐｈｏｔｏｎｉｃ  Ｃｒｙｓｔａｌ  Ｆｉｂｅｒ）は、設計によって任意波長で単一モードとなったり、零分散波長の設計自由度が大きい、大きな非線形特性や複屈折特性が設計可能であったりするなど、従来の光ファイバには無い新たな特性を有しており、フォトニックネットワークのシステム部品の高機能化などを実現することが期待されている。
【０００３】
図１（ａ）に示すように、従来の光ファイバ１０は、クラッド部１１の中心部分に配置されたコア部１２にドーパントと呼ばれる屈折率を上昇させる物質を添加していた。
【０００４】
これに対して、図１（ｂ）に示すように、ＰＣＦ１３は、コア部１４の周囲を、半径ｒの空孔１６を六方格子状で均一な間隔（ピッチ）Λに配列して囲むことにより、光をコア部１４に閉じ込めて伝送させる光ファイバの機能を果たすようになっている。このような構造のＰＣＦ１３において、空孔１６の半径ｒと間隔Λの組み合わせを適切に選択することにより、波長分散が零になる零分散波長がガラスの零分散波長より短波長のものを実現することができた。
【０００５】
例えば、非特許文献１のＰＣＦように、中心のコア部周囲に六方格子状に配列される空孔の半径ｒと間隔Λを規則的に配列した構造であって、それら半径ｒと間隔Λを波長８００ｎｍ付近で群速度分散が零に近くその特性がフラットとなるように最適化している。
【０００６】
【非特許文献１】Ａ．  Ｆｅｒｒａｎｄｏ，  Ｅ．  Ｓｉｌｖｅｓｔｒｅ，  Ｐ．  Ａｎｄｒｅｓ，  Ｊ．  Ｊ．  Ｍｉｒｅｔ，  ａｎｄ  Ｍ．  Ｖ．  Ａｎｄｒｅｓ，  Ｏｐｔｉｃｓ  Ｅｘｐｒｅｓｓ，  Ｖｏｌ．９，６９６（２００１）．
【発明の開示】
【発明が解決しようとする課題】
【０００７】
上記の非特許文献１のＰＣＦにおいては、コア部周囲に六方格子状に配列される空孔は、コア部の中心（コア中心）に対する２以上の仮想の同心円上に各頂点が重なる六方格子状に配置されている。前述したようにＰＣＦの群速度分散特性をより広帯域でフラットとするためには、六方格子の数が２以上であればその分散特性は殆ど変わらないが、六方格子の数が２ではコア中心側に配列された空孔と、この外側に配列された空孔との間からの光の損失が大きすぎる。このため、非特許文献１のＰＣＦ構造では、実用上六方格子の数が４以上必要と推定できる。このように六方格子の数が多くこれに伴い空孔の数も多い場合、その分、設計や製造が困難となるという課題があった。
【０００８】
前記課題を解決するために、本発明は、フォトニック結晶ファイバのコア部周囲に六方格子状に配列される空孔が、より少数でも、光の損失を少なく、群速度分散特性をより広帯域でフラットとすることができ、また、空孔が少数で済むことでファイバの設計や製造を容易とすることを目的とする。
【課題を解決するための手段】
【０００９】
上記目的を達成するために、発明者は、コア部の最内側よりも外側に半径の大きい空孔を六方格子状に配置し、この外側の空孔同士の間に、半径の小さい最内側の空孔を配置することによって、最内側と外側との空孔間で隙間を少なくすることで、コア部に伝送される光を最内側及び外側の空孔の間から漏れ難くい構造とすることにした。
【００１０】
具体的には、光伝送路となるコア部の周囲に、当該コア部に沿って延びる空孔が、該コア部の中心に対する２以上の仮想の同心円上に重なる六方格子状に配置され、同じ六方格子に配置された空孔は同じ半径で等間隔に配置されているフォトニック結晶ファイバにあって、前記コア部の中心に最も近い最内側よりも外側に六方格子状に配置された空孔は、該最内側に六方格子状に配置された空孔よりも大きい半径を有することを特徴とするフォトニック結晶ファイバである。
【００１１】
この構成によれば、コア部の周囲に六方格子状に配置される空孔の配置形状である六方格子の数が２つであっても、最内側よりも外側に半径の大きい空孔を配置し、この空孔同士の間に、半径の小さい最内側の空孔を配置する構造であるため、最内側と外側との空孔間で隙間が少なくなる。つまり、空孔が少数であっても、コア部に伝送される光が最内側の空孔と外側の空孔との間から漏れ難くなり、その光の損失を低減させることができる。また、本構成では、光の波長が短波長付近においてフォトニック結晶ファイバの群速度分散特性を従来よりも、より広帯域でフラットにできることを理論的計算値で検証している。更に、空孔が少数で済むため、フォトニック結晶ファイバの設計や製造を容易とすることができる。
【００１２】
本発明のフォトニック結晶ファイバは、前記最内側よりも外側に六方格子状に配置された空孔は、該最内側に六方格子状に配置された空孔よりも長い間隔を有することが望ましい。
【００１３】
この構成によれば、外側の六方格子状配置の空孔の間隔が、最内側の六方格子状配置の空孔の間隔よりも長いので、外側の六方格子状配置の空孔の半径をより大きくして配置することができる。従って、外側の空孔同士の間に、当該外側の空孔半径よりも大幅に半径の小さい最内側の空孔を詰めて配置することが可能となり、これによって配置スペースを狭くして効率的な空孔４２，４３の配置が可能となる。
【００１４】
本発明のフォトニック結晶ファイバは、前記最内側よりも外側に六方格子状に配置された空孔は、該最内側に六方格子状に配置された空孔と同じ間隔を有することが望ましい。
【００１５】
この構成によれば、最内側及び外側の全ての空孔の間隔が等しいので、フォトニック結晶ファイバの設計を、より容易とすることができる。
【００１６】
本発明のフォトニック結晶ファイバは、前記最内側よりも外側に六方格子状に配置された空孔は、該最内側に六方格子状に配置された空孔よりも短い間隔を有することが望ましい。
【００１７】
この構成によれば、外側の六方格子状配置の空孔の間隔が最内側の六方格子状配置の空孔の間隔よりも短いので、最内側の空孔の外側に六方格子状の空孔を形成する場合、多くの空孔を形成することができ、これによって、群速度分散特性を殆ど変えずに光の損失を、より低減させることができる。
【００１８】
本発明のフォトニック結晶ファイバは、前記最内側よりも外側に六方格子状に配置された空孔の半径は、該最内側に六方格子状に配置された空孔の半径の２倍以上であることが望ましい。
【００１９】
この構成によれば、外側の六方格子状配置の空孔の半径を、最内側の六方格子状配置の空孔の半径の２倍以上としたので、外側の空孔同士の間に、当該外側の空孔半径よりも大幅に半径の小さい最内側の空孔を詰めて配置することが可能となる。これによって、配置スペースを狭くして効率的な空孔の配置が可能となる。また、外側の空孔の数を少なくすることができるため、その分、ファイバ全体の空孔の数が少なくなってファイバの設計や製造を、より簡単にすることができる。
【００２０】
本発明のフォトニック結晶ファイバは、前記最内側よりも外側に六方格子状に配置された空孔の数は、該最内側に六方格子状に配置された空孔の数と同じであることが望ましい。
【００２１】
この構成によれば、外側の六方格子状配置の空孔の数が、最内側の六方格子状配置の空孔の数と同じなので、従来のように外側であるほど空孔数が多くなる構造と比べ、外側の空孔の数を少なくすることができる。従って、ファイバ全体の空孔の数が少なくて済むので、ファイバの設計や製造を、より簡単にすることができる。
【００２２】
本発明のフォトニック結晶ファイバは、前記最内側よりも外側に六方格子状に配置された空孔の中心を直線接続して描かれる六方格子と、最内側に六方格子状に配置された空孔の中心を直線接続して描かれる六方格子とで、前記コア部の中心と頂点との接続線が３０度ずれていることが望ましい。
【００２３】
この構成によれば、外側の六方格子と最内側の六方格子とは、コア中心と頂点との接続線が３０度ずれる配置関係となっているので、最内側の空孔と外側との空孔とが同数であっても、外側の空孔の間に最内側の空孔を隙間が少なくなる状態で配置することができる。これによって、コア部を、この周囲の空孔で隙間なく囲む状態となるので、より光の損失を低減することができる。
【発明の効果】
【００２４】
本発明によれば、フォトニック結晶ファイバのコア部周囲に六方格子状に配列される空孔が、より少数でも、光の損失を少なく、群速度分散特性をより広帯域でフラットとすることができ、また、空孔が少数で済むことでファイバの設計や製造を容易とするフォトニック結晶ファイバを提供することができる。
【発明を実施するための最良の形態】
【００２５】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２６】
（第１実施形態）
図２は、本発明の第１実施形態に係るフォトニック結晶ファイバ（ＰＣＦ）の長手方向の軸線に対する直交断面図である。この第１実施形態のＰＣＦ２０は、光伝送路となるコア部２１の周囲に、当該コア部２１に沿って延びる空孔２２，２３を、コア中心に対する２以上の仮想の同心円上に各頂点が重なる六方格子状に配置し、この内、同じ六方格子に配置された空孔２２（又は２３）を同じ半径ｒ１（又はｒ２）で等間隔Λ１（又はΛ２）に配置し、コア中心に最も近い最内側よりも外側に配置された空孔２３を最内側の空孔２２よりも半径ｒ２が大きい寸法としたものである。なお、最内側の空孔２２の中心は六方格子の頂点に重なるので、最内側の空孔２２の中心からコア中心までの距離はΛ１で示すように空孔２２の間隔Λ１と等しい。
【００２７】
また、コア中心から１つ目の六方格子状（第１の六方格子状とも称す）の空孔２２の間隔Λ１と、コア中心から２つ目の六方格子状（第２の六方格子状とも称す）の空孔２３の間隔Λ２は、等しくしてもよい。
【００２８】
更に、ＰＣＦ２０は、ファイバ中心のコア部２１の周囲に六方格子状に配置される空孔２２，２３の半径ｒ１，ｒ２と間隔Λ１，Λ２を規則的に配置した構造であって、それら半径ｒ１，ｒ２と間隔Λ１，Λ２を光の所定波長付近で群速度分散が零に近くその特性がフラットとなるように最適化している。
【００２９】
このようなＰＣＦ２０は、一例として、第１の六方格子状の空孔２２の半径ｒ１が０．２４μｍ、同空孔２２の中心とコア中心との距離Λ１が０．８０μｍで、第２の六方格子状の空孔２３の半径ｒ２が０．３６μｍで、間隔Λ２が０．８０μｍであって、光波長が８００ｎｍ付近の広範囲で分散が零に近い構造であるとする。また、空孔２２の間隔Λ１も同じ寸法であり、全ての空孔間隔Λ１，Λ２が０．８０μｍと一定である。
【００３０】
ＰＣＦ２０を、このような構造とすることによって、コア部２１の周囲に六方格子状に配置される空孔２２，２３の配置形状である六方格子の数が２つであっても、最内側よりも外側に半径ｒ２の大きい空孔２３を配置し、その空孔２３同士の間に、半径ｒ１の小さい最内側の空孔２２を配置する構造であるため、最内側と外側との空孔間で隙間が少なくなる。これによって、コア部２１に伝送される光が最内側の空孔２２と外側の空孔２３との間から漏れ難くなり、その光の損失を低減させることができる。
【００３１】
また、ＰＣＦ２０の構成では、光の波長が８００ｎｍと短波長付近においてＰＣＦ２０の群速度分散特性を従来よりも、より広帯域でフラットとすることができる。この検証結果を図３のＰＣＦにおける光の群速度分散（ｆｓ２／ｍｍ）と波長（ｎｍ）の特性図に示した。この図３に示す曲線Ｌ０は、前述した非特許文献１の空孔の半径と間隔が一定である従来のＰＣＦの特性を表す。但し、従来のＰＣＦは半径が０．２８μｍ、間隔が０．８８μｍである。これに対して、曲線Ｌ１は、上記一例で寸法を限定した本実施形態のＰＣＦ２０の特性を表す。また、その特性を求めるに当たって、今回の分散の計算には近似が殆ど無く、損失も正確に計算できるマルチポール法を用いた。
【００３２】
双方の曲線Ｌ０とＬ１の比較から分かるように、特性曲線Ｌ０で示す従来のＰＣＦよりも、特性曲線Ｌ１で示す本実施形態のＰＣＦ２０の方が、波長が８００ｎｍ付近において群速度分散が少なく、より広帯域でフラットとなっている。言い換えれば、分散が零に近い波長帯域がより広帯域化されている。
【００３３】
ここで、非特許文献１の従来のＰＣＦは、その構造上、前述したように実用上では六方格子の数が４以上必要と推定できるので、六方格子の数が２つである本ＰＣＦ２０よりも大幅に空孔の数が多いといえる。
【００３４】
従って、第１実施形態によれば、コア部２１の周囲に六方格子状に配列される空孔２２，２３が、より少数でも、光の損失を少なく、光波長が短波長付近で群速度分散が少なく、より広帯域でフラットとなるようにＰＣＦ２０を形成することができる。このようなＰＣＦ２０を用いて超広帯域光波を発生させると、発生できる光波の波長範囲がより広帯域化し、さらに強度分布が一様になるため、実用上大変有用である。
【００３５】
また、空孔２２，２３が少数で済むため、ＰＣＦ２０の設計や製造を容易とすることができる。更に、最内側及び外側の全ての空孔２２，２３の間隔Λ１，Λ２を等しくした場合、ＰＣＦ２０の設計を、より容易とすることができる。
この他、最内側の六方格子状の空孔２２の外側に、極力多数の六方格子状の空孔を形成することによって、群速度分散特性を殆ど変えずに光の損失を低減させることができる。
【００３６】
（第２実施形態）
図４は、本発明の第２実施形態に係るフォトニック結晶ファイバの長手方向の軸線に対する直交断面図である。この第２実施形態のＰＣＦ３０が上記ＰＣＦ２０と異なる点は、コア部３１に最も近い最内側に六方格子状に配置された空孔３２の間隔Λ３よりも、外側に六方格子状に配置された空孔３３の間隔Λ４が短い寸法とされていることにある。なお、コア中心と最内側の空孔３２の中心との距離はΛ３で示すように空孔３２の間隔Λ３と等しい。
【００３７】
このようなＰＣＦ３０は、一例として、第１の六方格子状の空孔３２の半径ｒ３が０．２１μｍ、同空孔３２の中心とコア中心との距離Λ３が０．７５μｍで、第２の六方格子状の空孔３３の半径ｒ４が０．３２μｍで、間隔Λ４が０．７１μｍであって、光波長が８００ｎｍ付近の広範囲で分散が零に近い構造であるとする。また、空孔３３の間隔Λ４＝０．７１μｍが、空孔３２の間隔Λ３＝０．７５μｍよりも短い。
【００３８】
ＰＣＦ３０を、このような構造とすることによって、上記のＰＣＦ２０と同様に、コア部３１の周囲に六方格子状に配置される空孔３２，３３の配置形状である六方格子の数が２つであっても、最内側よりも外側に半径ｒ４の大きい空孔３３を配置し、その空孔３３同士の間に、半径ｒ３の小さい最内側の空孔２２を配置する構造であるため、コア部３１に伝送される光が最内側の空孔３２と外側の空孔３３との間から漏れ難くなり、その光の損失を低減させることができる。
【００３９】
また、ＰＣＦ３０の構成では、検証結果である図３に特性曲線Ｌ２で示すように、光波長が８００ｎｍ付近において群速度分散特性を従来（特性曲線Ｌ０）よりも、より広帯域でフラットとすることができる。
【００４０】
更に、この第２実施形態のＰＣＦ３０では、最内側よりも外側の空孔３３の間隔Λ４を、最内側の空孔３２の間隔Λ３よりも短くしたので、最内側の空孔３２の外側に、極力多数の六方格子状の空孔を形成する場合、第１実施形態のＰＣＦ２０よりも多くの空孔を形成することができ、これによって、群速度分散特性を殆ど変えずに光の損失を第１実施形態よりも更に低減させることができる。
【００４１】
（第３実施形態）
図５は、本発明の第３実施形態に係るフォトニック結晶ファイバの長手方向の軸線に対する直交断面図である。この第３実施形態のＰＣＦ４０が上記第１の実施形態のＰＣＦ２０と異なる点は、次に（１）〜（４）に記述する４点である。なお、この４点の条件は、各々独立に或いは任意に組み合わせて適用することが可能である。
【００４２】
（１）コア部４１に最も近い最内側よりも外側に六方格子状に配置された空孔４３の半径ｒ６は、最内側に六方格子状に配置された空孔４２の半径ｒ５の２倍以上である。
（２）最内側よりも外側に六方格子状に配置された空孔４３の数は、最内側に六方格子状に配置された空孔４２の数と同じである。
（３）最内側よりも外側に六方格子状に配置された空孔４３の中心を直線接続して描かれる六方格子と、最内側に六方格子状に配置された空孔４２の中心を直線接続して描かれる六方格子とでは、コア中心と頂点との接続線が３０度ずれている。
（４）コア部４１に最も近い最内側よりも外側に六方格子状に配置された空孔４３の間隔Λ６は、最内側に六方格子状に配置された空孔４２の間隔Λ５よりも長い寸法である。
【００４３】
このようなＰＣＦ４０は、一例として、第１の六方格子状の空孔４２の半径ｒ５が０．２１６μｍ、同空孔４２の中心とコア中心との距離Λ５が０．７２μｍで、第２の六方格子状の空孔４３の半径ｒ６が０．８１μｍで、間隔Λ６が１．７１μｍであって、光波長が８００ｎｍ付近の広範囲で分散が零に近い構造であるとする。
【００４４】
ＰＣＦ４０を、このような構造とすることによって、上記のＰＣＦ２０と同様に、コア部４１の周囲に六方格子状に配置される空孔４２，４３の配置形状である六方格子の数が２つであっても、最内側よりも外側に半径ｒ６の大きい空孔４３を配置し、その空孔４３同士の間に、半径ｒ５の小さい最内側の空孔４２を配置する構造であるため、コア部４１に伝送される光が最内側の空孔４２と外側の空孔４３との間から漏れ難くなり、その光の損失を低減させることができる。
【００４５】
また、ＰＣＦ４０の構成では、検証結果である図３に特性曲線Ｌ３で示すように、光波長が８００ｎｍ付近において群速度分散特性を従来（特性曲線Ｌ０）よりも、より広帯域でフラットとすることができる。
【００４６】
更に、第３実施形態のＰＣＦ４０では、上記（１）に記載のように、外側の六方格子状配置の空孔４３の半径ｒ６を、最内側の六方格子状配置の空孔４２の半径ｒ５の２倍以上としたので、外側の空孔４３同士の間に、当該外側の空孔半径ｒ６よりも大幅に半径ｒ５の小さい最内側の空孔４２を詰めて配置することが可能となり、これによって配置スペースを狭くして効率的な空孔４２，４３の配置が可能となる。また、外側の空孔４３の数を少なくすることができるため、その分、ファイバ全体の空孔４２，４３の数が少なくなってＰＣＦ４０の設計や製造を、より簡単にすることができる。
【００４７】
上記（２）に記載のように、外側の六方格子状配置の空孔４３の数を、最内側の六方格子状配置の空孔４２の数と同じにしたので、従来のＰＣＦのように外側であるほど空孔数が多くなる構造と比べ、外側の空孔４３の数を少なくすることができる。従って、ファイバ全体の空孔４２，４３の数が少なくて済むので、ＰＣＦ４０の設計や製造を、より簡単にすることができる。
【００４８】
上記（３）に記載のように、外側の六方格子状配置の空孔４３の中心を直線接続して描かれる六方格子と、最内側の六方格子状配置の空孔４２の中心を直線接続して描かれる六方格子とを、コア中心と頂点との接続線が３０度ずれる配置関係としたので、最内側の空孔４２と外側との空孔４３とが同数であっても、外側の空孔４３の間に最内側の空孔４２を隙間が少なくなる状態で配置することができる。つまり、コア部４１を、この周囲の空孔４２，４３で隙間なく囲む状態となるので、より光の損失を低減することができる。
【００４９】
上記（４）に記載のように、外側の六方格子状配置の空孔４３の間隔Λ６を、最内側の六方格子状配置の空孔４２の間隔Λ５よりも長くしたので、外側の六方格子状配置の空孔４３の半径ｒ６をより大きくして配置することができる。このため、外側の空孔４３同士の間に、当該外側の空孔半径ｒ６よりも大幅に半径ｒ５の小さい最内側の空孔４２を詰めて配置することが可能となり、これによって配置スペースを狭くして効率的な空孔４２，４３の配置が可能となる。
【００５０】
前述した何れの実施形態においても、六方格子は最内側とその外側の２箇所で説明したが、外側には２以上の六方格子状配置で空孔を設けてもよい。
【産業上の利用可能性】
【００５１】
本発明のフォトニック結晶ファイバは、低ピークパワーのレーザーを用いて帯域が広くスペクトル強度の一様な超広帯域光波を発生させることが可能となり、分光用光源、光コヒーレンストモグラフィー用光源、通信用光源等に適用することができる。
【図面の簡単な説明】
【００５２】
【図１】（ａ）従来の光ファイバの構成図、（ｂ）フォトニック結晶ファイバの構成図である。
【図２】本発明の第１実施形態に係るフォトニック結晶ファイバの長手方向の軸線に対する直交断面図である。
【図３】本実施形態と従来のフォトニック結晶ファイバにおける光の群速度分散と波長の関係を示す特性図である。
【図４】本発明の第２実施形態に係るフォトニック結晶ファイバの長手方向の軸線に対する直交断面図である。
【図５】本発明の第２実施形態に係るフォトニック結晶ファイバの長手方向の軸線に対する直交断面図である。
【符号の説明】
【００５３】
１０：従来の光ファイバ
１１：クラッド部
１２，１４，２１，３１，４１：コア部
１３，２０，３０，４０：フォトニック結晶ファイバ（ＰＣＦ）
１６，２２，２３，３２，３３，４２，４３：空孔
ｒ、ｒ１、ｒ２、ｒ３、ｒ４、ｒ５、ｒ６：半径
Λ，Λ１，Λ２，Λ３，Λ４，Λ５，Λ６：間隔（ピッチ）
Ｌ０：従来のＰＣＦの特性曲線
Ｌ１：第１実施形態のＰＣＦの特性曲線
Ｌ２：第２実施形態のＰＣＦの特性曲線
Ｌ３：第３実施形態のＰＣＦの特性曲線
【図１】
2009198617.tif 000003
【図２】
2009198617.tif 000004
【図３】
2009198617.tif 000005
【図４】
2009198617.tif 000006
【図５】
2009198617.tif 000007